(57)【要約】【課題】  化粧用具等の引き出し部材の摘み部分等が収納容器の外周面又は天外面に露出しなくて済み外観上の体裁がよい収納容器を提供する。【解決手段】  容器本体２側又はキャップ体３側に引き出し部材４が外方に出退自在に設けられ、容器本体２又はキャップ体３の全部又は一部を回動することにより、前記引き出し部材４が外方に突出するようにした。また、容器本体２に対してキャップ体３を開く方向に回動操作することによって、引き出し部材４が外方に突出しその後キャップ体３が容器本体２から外れるようにした。また、容器本体２に対してキャップ体３を閉じる方向に回動操作することによって、容器本体２にキャップ体３が螺合して閉まり、その後外方に突出した状態の引き出し部材４が容器本体２側又はキャップ体３側に後退するようにした。【選択図】図１
2011212368.tif 000002
【特許請求の範囲】
【請求項１】
容器本体（２）にキャップ体（３）を開閉自在に螺合するようにした収納容器において、
容器本体（２）側又はキャップ体（３）側に引き出し部材（４）が外方に出退自在に設けられ、容器本体（２）又はキャップ体（３）の全部又は一部を回動することにより、前記引き出し部材（４）が外方に突出するようにしたことを特徴とする収納容器。
【請求項２】
容器本体（２）に対してキャップ体（３）を開く方向に回動操作することによって、引き出し部材（４）が外方に突出しその後キャップ体（３）が容器本体（２）から外れるようにしたことを特徴とする請求項１に記載の収納容器。
【請求項３】
容器本体（２）に対してキャップ体（３）を閉じる方向に回動操作することによって、外方に突出した状態の引き出し部材（４）が容器本体（２）側又はキャップ体（３）側に後退すると共に、容器本体（２）にキャップ体（３）が螺合して閉まるようにしたことを特徴とする１又は２に記載の収納容器。
【請求項４】
キャップ体（３）の上側に天板（７８）が回動自在に設けられ、天板（７８）の相対的回動操作によって引き出し部材（４）が外方に突出するようにしたことを特徴とする請求項１に記載の収納容器。
【請求項５】
容器本体（２）の下側に底板が回動自在に設けられ、底板の相対的回動操作によって前記引き出し部材（４）が外方に突出するようにしたことを特徴とする請求項１に記載の収納容器。
【請求項６】
前記キャップ体（３）、天板（７８）又は底板等の被回動操作部材と引き出し部材（４）との間に、被回動操作部材の回動操作によって、引き出し部材（４）が外方に突出するカム機構（３９）が設けられていることを特徴とする請求項１〜５のいずれかに記載の収納容器。
【請求項７】
前記キャップ体（３）は外キャップ（６）と内キャップ（７）とを有し、内キャップ（７）が外キャップ（６）に相対回動可能に内嵌保持され、容器本体（２）に内キャップ（７）が着脱自在に螺合され、外キャップ（６）に引き出し部材（４）が外方に出退自在に設けられ、
外キャップ（６）が内キャップ（７）に対する開く方向の回動で外キャップ（６）から引き出し部材（４）が外方に突出するように、内キャップ（７）と引き出し部材（４）との間にカム機構（３９）が設けられ、
容器本体（２）に対して外キャップ（６）を開く方向に回動操作することにより、まず外キャップ（６）が容器本体（２）と内キャップ（７）とに対して相対回動することにより、外キャップ（６）から引き出し部材（４）が外方に突出し、その後外キャップ（６）と内キャップ（７）とが容器本体（２）に対して相対回動して外キャップ（６）と共に内キャップ（７）が容器本体（２）から外れようにしたことを特徴とする請求項１に記載の収納容器。
【請求項８】
前記キャップ体（３）は外キャップ（６）と内キャップ（７）とを有し、内キャップ（７）が外キャップ（６）に相対回動可能に内嵌保持され、容器本体（２）に内キャップ（７）が着脱自在に螺合され、外キャップ（６）に引き出し部材（４）が外方に出退自在に設けられ、
外キャップ（６）が内キャップ（７）に対する開く方向の回動で外キャップ（６）から引き出し部材（４）が外方に突出し、外キャップ（６）が内キャップ（７）に対する閉まる方向の回動で外方に突出した状態の引き出し部材（４）が外キャップ（６）に後退するように、内キャップ（７）と引き出し部材（４）との間にカム機構（３９）が設けられ、
容器本体（２）に対して外キャップ（６）を開く方向に回動操作することにより、まず外キャップ（６）が容器本体（２）と内キャップ（７）とに対して相対回動することにより、外キャップ（６）から引き出し部材（４）が外方に突出し、その後外キャップ（６）と内キャップ（７）とが容器本体（２）に対して相対回動して外キャップ（６）と共に内キャップ（７）が容器本体（２）から外れ、
容器本体（２）に対して外キャップ（６）を閉じる方向に回動操作することにより、まず外キャップ（６）が容器本体（２）と内キャップ（７）とに対して相対的に回動して、外方に突出した状態の引き出し部材（４）が外キャップ（６）に後退し、その後外キャップ（６）と内キャップ（７）とが容器本体（２）に対して回動することにより、外キャップ（６）と共に内キャップ（７）が容器本体（２）に螺合して閉まるようにしたことを特徴とする請求項１に記載の収納容器。
【請求項９】
前記容器本体（２）は、外容器体（５３）と外容器体（５３）に相対回動自在に内嵌される内容器体（５４）とを有し、キャップ体（３）が内容器体（５４）に着脱自在に螺合され、外容器体（５３）に前記引き出し部材（４）が外方に出退自在に設けられ、
キャップ体（３）が容器本体（２）に対する開く方向の回動で外容器体（５３）から引き出し部材（４）が外方に突出するように、内容器体（５４）と引き出し部材（４）との間にカム機構（３９）が設けられ、
容器本体（２）に対してキャップ体（３）を開く方向に回動操作することにより、まずキャップ体（３）と内容器体（５４）とが外容器体（５３）に対して相対回動することにより、外容器体（５３）から引き出し部材（４）が外方に突出し、その後キャップ体（３）が内容器体（５４）に対して相対回動してキャップ体（３）が内容器体（５４）から外れようにしたことを特徴とする請求項１に記載の収納容器。
【請求項１０】
前記容器本体（２）は、外容器体（５３）と外容器体（５３）に相対回動自在に内嵌される内容器体（５４）とを有し、キャップ体（３）が内容器体（５４）に着脱自在に螺合され、外容器体（５３）に前記引き出し部材（４）が外方に出退自在に設けられ、
キャップ体（３）が容器本体（２）に対する開く方向の回動で外容器体（５３）から引き出し部材（４）が外方に突出するように、内容器体（５４）と引き出し部材（４）との間にカム機構（３９）が設けられ、
容器本体（２）に対してキャップ体（３）を開く方向に回動操作することにより、まずキャップ体（３）と内容器体（５４）とが外容器体（５３）に対して相対回動することにより、外容器体（５３）から引き出し部材（４）が外方に突出し、その後キャップ体（３）が内容器体（５４）に対して相対回動してキャップ体（３）が内容器体（５４）から外れ、
容器本体（２）に対してキャップ体（３）を閉じる方向に回動操作することにより、まずキャップ体（３）と内容器体（５４）とが外容器体（５３）に対して相対回動して、外方に突出した状態の引き出し部材（４）が外容器体（５３）に後退し、その後キャップ体（３）が内容器体（５４）に対して相対回動してキャップ体（３）が内容器体（５４）に螺合して閉まるようにしたことを特徴とする請求項１に記載の収納容器。
【請求項１１】
前記容器本体（２）が化粧品を収納するものであり、前記引き出し部材（４）が、鏡又は櫛等を収納可能な収納ケース、化粧品を塗布するための化粧用具、鏡又は櫛であることを特徴とする請求項１〜１０のいずれかに記載の収納容器。
【発明の詳細な説明】
【技術分野】
【０００１】
本発明は、化粧用収納容器等の収納容器に関するものである。
【背景技術】
【０００２】
例えば化粧用収納容器には容器本体にキャップ体を回動操作することによって着脱自在に螺合して開閉するようにしたものがあり、この種の従来の収納容器には容器本体に収納した化粧品を塗布するために使用される化粧用具等を構成する引き出し部材を、キャップ体に外方に出退自在に組み込んだものがある（特許文献１）。
【先行技術文献】
【特許文献】
【０００３】
【特許文献１】特開２００７−２１２２９号公報
【発明の概要】
【発明が解決しようとする課題】
【０００４】
この種の従来の収納容器では、引き出し部材を引き出すための摘み部分等が必要であり、これが収納容器の外側面又は天外面に露出して体裁が悪くデザイン的に劣るものとなっていた。
本発明は上記問題点に鑑み、化粧用具等の引き出し部材の摘み部分等が収納容器の外側面又は天外面に露出しなくて済み外観上の体裁がよい収納容器を提供することを目的とする。
【課題を解決するための手段】
【０００５】
この技術的課題を解決する本発明の技術的手段は、容器本体にキャップ体を開閉自在に螺合するようにした収納容器において、
容器本体側又はキャップ体側に引き出し部材が外方に出退自在に設けられ、容器本体又はキャップ体の全部又は一部を回動することにより、前記引き出し部材が外方に突出するようにした点にある。
【０００６】
また、本発明の他の技術的手段は、容器本体に対してキャップ体を開く方向に回動操作することによって、引き出し部材が外方に突出しその後キャップ体が容器本体から外れるようにした点にある。
また、本発明の他の技術的手段は、容器本体に対してキャップ体を閉じる方向に回動操作することによって、外方に突出した状態の引き出し部材が容器本体側又はキャップ体側に後退すると共に、容器本体にキャップ体が螺合して閉まるようにした点にある。
【０００７】
また、本発明の他の技術的手段は、キャップ体の上側に天板が回動自在に設けられ、天板の相対的回動操作によって引き出し部材が外方に突出するようにした点にある。
また、本発明の他の技術的手段は、容器本体の下側に底板が回動自在に設けられ、底板の相対的回動操作によって前記引き出し部材が外方に突出するようにした点にある。
また、本発明の他の技術的手段は、前記キャップ体、天板又は底板等の被回動操作部材と引き出し部材との間に、被回動操作部材の回動操作によって、引き出し部材が外方に突出するカム機構が設けられている点にある。
【０００８】
また、本発明の他の技術的手段は、前記キャップ体は外キャップと内キャップとを有し、内キャップが外キャップに相対回動可能に内嵌保持され、容器本体に内キャップが着脱自在に螺合され、外キャップに引き出し部材が外方に出退自在に設けられ、
外キャップが内キャップに対する開く方向の回動で外キャップから引き出し部材が外方に突出するように、内キャップと引き出し部材との間にカム機構が設けられ、
容器本体に対して外キャップを開く方向に回動操作することにより、まず外キャップが容器本体と内キャップとに対して相対回動することにより、外キャップから引き出し部材が外方に突出し、その後外キャップと内キャップとが容器本体に対して相対回動して外キャップと共に内キャップが容器本体から外れようにした点にある。
【０００９】
また、本発明の他の技術的手段は、前記キャップ体は外キャップと内キャップとを有し、内キャップが外キャップに相対回動可能に内嵌保持され、容器本体に内キャップが着脱自在に螺合され、外キャップに引き出し部材が外方に出退自在に設けられ、
外キャップが内キャップに対する開く方向の回動で外キャップから引き出し部材が外方に突出し、外キャップが内キャップに対する閉まる方向の回動で外方に突出した状態の引き出し部材が外キャップに後退するように、内キャップと引き出し部材との間にカム機構が設けられ、
容器本体に対して外キャップを開く方向に回動操作することにより、まず外キャップが容器本体と内キャップとに対して相対回動することにより、外キャップから引き出し部材が外方に突出し、その後外キャップと内キャップとが容器本体に対して相対回動して外キャップと共に内キャップが容器本体から外れ、
容器本体に対して外キャップを閉じる方向に回動操作することにより、まず外キャップが容器本体と内キャップとに対して相対的に回動して、外方に突出した状態の引き出し部材が外キャップに後退し、その後外キャップと内キャップとが容器本体に対して回動することにより、外キャップと共に内キャップが容器本体に螺合して閉まるようにした点にある。
【００１０】
また、本発明の他の技術的手段は、前記容器本体は、外容器体と外容器体に相対回動自在に内嵌される内容器体とを有し、キャップ体が内容器体に着脱自在に螺合され、外容器体に前記引き出し部材が外方に出退自在に設けられ、
キャップ体が容器本体に対する開く方向の回動で外容器体から引き出し部材が外方に突出するように、内容器体と引き出し部材との間にカム機構が設けられ、
容器本体に対してキャップ体を開く方向に回動操作することにより、まずキャップ体と内容器体とが外容器体に対して相対回動することにより、外容器体から引き出し部材が外方に突出し、その後キャップ体が内容器体に対して相対回動してキャップ体が内容器体から外れようにした点にある。
【００１１】
また、本発明の他の技術的手段は、前記容器本体は、外容器体と外容器体に相対回動自在に内嵌される内容器体とを有し、キャップ体が内容器体に着脱自在に螺合され、外容器体に前記引き出し部材が外方に出退自在に設けられ、
キャップ体が容器本体に対する開く方向の回動で外容器体から引き出し部材が外方に突出するように、内容器体と引き出し部材との間にカム機構が設けられ、
容器本体に対してキャップ体を開く方向に回動操作することにより、まずキャップ体と内容器体とが外容器体に対して相対回動することにより、外容器体から引き出し部材が外方に突出し、その後キャップ体が内容器体に対して相対回動してキャップ体が内容器体から外れ、
容器本体に対してキャップ体を閉じる方向に回動操作することにより、まずキャップ体と内容器体とが外容器体に対して相対回動して、外方に突出した状態の引き出し部材が外容器体に後退し、その後キャップ体が内容器体に対して相対回動してキャップ体が内容器体に螺合して閉まるようにした点にある。
【００１２】
また、本発明の他の技術的手段は、前記容器本体が化粧品を収納するものであり、前記引き出し部材が、鏡又は櫛等を収納可能な収納ケース、化粧品を塗布するための化粧用具、鏡又は櫛である点にある。
【発明の効果】
【００１３】
本発明によれば、容器本体側又はキャップ体側に引き出し部材が外方に出退自在に設けられ、容器本体又はキャップ体の全部又は一部を回動することにより、前記引き出し部材が外方に突出するようにしたので、化粧用具の引き出し部材を引き出すための摘み部分等が収納容器の外側面又は天外面に不要になるため、摘み部分等が収納容器の外側面又は天外面に露出しなくて済み、容器の外観上の体裁が非常に良くなる。しかも、キャップ体の全部又は一部の回動操作により、引き出し部材が外方に突出させることができ、引き出し部材を便利に使用することができる。
【図面の簡単な説明】
【００１４】
【図１】本発明の一実施形態を示す引き出し部材が後退した状態の図で、（ａ）はその斜視図、（ｂ）は側断面図である。
【図２】同引き出し部材が突出した状態の図で、（ａ）はその斜視図、（ｂ）は側断面図である。
【図３】同分解斜視図である。
【図４】同引き出し部材の出退動作を示す図であり、（ａ）は引き出し部材４が後退した状態の平面断面図、（ｂ）は引き出し部材の出退途中の平面断面図、（ｃ）は引き出し部材が突出した状態の平面断面図である。
【図５】他の実施形態を示す引き出し部材が後退した状態の図で、（ａ）はその斜視図、（ｂ）は側断面図である。
【図６】同引き出し部材が突出した状態の図で、（ａ）はその斜視図、（ｂ）は側断面図である。
【図７】同分解斜視図である。
【図８】同引き出し部材の出退動作を示す図であり、（ａ）は引き出し部材が後退した状態の平面断面図、（ｂ）は引き出し部材の突出直前の平面断面図、（ｃ）は引き出し部材が突出した状態の平面断面図である。
【図９】他の実施形態を示す引き出し部材が後退した状態の側面断面図である。
【図１０】同分解斜視図である。
【図１１】他の実施形態を示す引き出し部材が後退した状態の側面断面図である。
【図１２】同分解斜視図である。
【発明を実施するための形態】
【００１５】
以下、本発明の実施の形態を図面に基づいて説明する。
図１〜図４において、化粧用収納容器１は容器本体２とキャップ体３と引き出し部材４とを備え、キャップ体３は外キャップ６と内キャップ７とを有している。
容器本体２は大径の円筒状に形成された大径筒部９と、円筒状の口部１０と、口部１０から下方に膨出した底筒部１１とを有し、容器本体２（底筒部１１及び口部１０）内に化粧用クリーム等の化粧品が収納され、口部１０の上端開口から化粧品を取り出せるように構成されている。口部１０の外周に雄ねじ１３が形成されている。
【００１６】
外キャップ６は外天壁１５と円筒状の外周壁１６とを有し、上部側に収納開口１８と収納底壁１９と左右一対の収納側壁２０とを有する収納部２１が形成されている。外周壁１６の下端部内面に環状の係合突起２２が設けられている。
内キャップ７は内天壁２４と円筒状の内周壁２５と環状の内底壁２６と内底壁２６の外周端から起立された起立壁２７とを有し、内周壁２５の内面に雌ねじ２８が形成され、起立壁２７の上端部に環状の係止突起２９が設けられている。内天壁２４の下面側にシール板３０が嵌合固着されている。
【００１７】
外キャップ６の係合突起２２と内キャップ７の係止突起２９とが互いに係合されて、内キャップ７が外キャップ６に相対回動可能に内嵌保持されている。内キャップ７（内周壁２５）が雄ねじ１３と雌ねじ２８とを介して容器本体２（口部１０）に着脱自在に螺合されている。
引き出し部材４は、引き出し底壁３３と引き出し前壁３４と引き出し後壁３５と左右一対の引き出し側壁３６とを有する収納ケースとされ、ここに化粧品を塗布するための化粧用具、鏡又は櫛等を収納可能に構成されている。外キャップ６の収納部２１に引き出し部材４が外方に出退自在に設けられている。引き出し部材４の引き出し前壁３４側の外面４ａは、引き出し部材４が外キャップ６の収納部２１に後退したときに外キャップ６の外周壁１６の外面と面一になる凹凸のない円弧面状に形成されている。
【００１８】
内キャップ７と引き出し部材４との間にカム機構３９が設けられている。カム機構３９は内キャップ７の内天壁２４に突設した係合凸部４０と、引き出し部材４の引き出し底壁３３の下面に左右方向に形成した直線状の係止凹部４１とを有している。収納部２１の収納底壁１９に円弧状の挿通孔４２が形成されており、この挿通孔４２を係合凸部４０が貫通して係止凹部４１に係合することによって、外キャップ６が内キャップ７に対する開く方向の回動（容器本体２に対してキャップ体３（内キャップ７）が開く方向と同一方向の回動）で、係合凸部４０が挿通孔４２を移動すると共に係止凹部４１を移動して、外キャップ６から引き出し部材４が外方に突出し、外キャップ６が内キャップ７に対する閉まる方向の回動（容器本体２に対してキャップ体３（内キャップ７）が閉まる方向と同一方向の回動）で、係合凸部４０が挿通孔４２を移動すると共に係止凹部４１を移動して、外方に突出した状態の引き出し部材４が外キャップ６に後退するように構成されている。また、内キャップ７が外キャップ６に対して相対回動できる範囲は、係合凸部４０が挿通孔４２を移動する範囲に規制されている。
【００１９】
而して、容器本体２に対してキャップ体３（外キャップ６）を開く方向に回動操作することにより、まず外キャップ６が容器本体２と内キャップ７とに対して相対回動することにより、図４（ｂ）（ｃ）に示す如く外キャップ６から引き出し部材４が外方に突出し、その後外キャップ６と内キャップ７とが容器本体２に対して相対回動して外キャップ６と共に内キャップ７が容器本体２から外れるようになっている。
【００２０】
また、容器本体２に対してキャップ体３（外キャップ６）を閉じる方向に回動操作することにより、まず外キャップ６が容器本体２と内キャップ７とに対して相対的に回動して、図４（ｂ）（ａ）に示す如く外方に突出した状態の引き出し部材４が外キャップ６に後退し、その後外キャップ６と内キャップ７とが容器本体２に対して回動することにより、外キャップ６と共に内キャップ７が容器本体２に螺合して閉まるようになっている。
【００２１】
上記図１〜図４の実施の形態によれば、容器本体２に対してキャップ体３を開く場合、容器本体２に対してキャップ体３（外キャップ６）を開く方向に回動操作すればよく、これにより、図４（ｂ）（ｃ）に示す如く外キャップ６から引き出し部材４が外方に突出し、その後外キャップ６と共に内キャップ７が容器本体２から外れる。従って、その後は引き出し部材４に収納した化粧用具や鏡等を使用して容器本体２内の化粧品で化粧をすればよく、引き出し部材４の化粧用具等を便利に使用することができる。
【００２２】
容器本体２に対してキャップ体３を閉じる場合、引き出し部材４に化粧用具等を収納して、容器本体２に対して外キャップ６を閉じる方向に回動操作すればよく、まず図４（ｂ）（ａ）に示す如く外方に突出した状態の引き出し部材４が外キャップ６に後退し、その後外キャップ６と共に内キャップ７が容器本体２に螺合して閉まる。
従って、キャップ体３を開閉する操作によって、引き出し部材４が出退するため、引き出し部材４を便利に使用することができる。しかも、キャップ体３を開閉する操作によって、引き出し部材４が出退するため、化粧用具の引き出し部材４を引き出すための摘み部分等が不要になるので、引き出し部材４の引き出し前壁３４の外面４ａを、引き出し部材４が後退したときに外キャップ６の外周壁１６の外面と面一になる凹凸のない円弧面状に形成しておくことができ、摘み部分等が外部に露出しなくて済み、外観上の体裁が非常に良くなる。
【００２３】
図５〜図８は他の実施形態を示し、カム機構３９は内キャップ７の内天壁２４に突設した係合凸部４０と、引き出し部材４の引き出し後壁３５を前側に没入形成してなる傾斜当接部４５を持つ没入凹部４６とを有し、収納部２１は収納開口１８と左右一対の収納側壁２０とを有し、収納底壁１９が省略されている。外キャップ６にストッパー４７が突設されており、係合凸部４０がストッパー４７と収納部２１の収納側壁２０との間を揺動し、この間に係合凸部４０が傾斜当接部４５を押圧することによって、外キャップ６が内キャップ７に対する開く方向の回動（容器本体２に対して内キャップ７が開く方向と同一方向の回動）で外キャップ６から引き出し部材４が外方に少し突出するように構成されている。
【００２４】
そして、外キャップ６が内キャップ７に対する閉まる方向の回動（容器本体２に対して内キャップ７が閉まる方向と同一方向の回動）では、引き出し部材４が外方に突出した状態のまま残るように構成されている。
収納部２１の左右の収納側壁２０にレール溝４９が前後方向にそれぞれ設けられ、引き出し部材４の左右の引き出し側壁３６の後部に摺動突起５０がそれぞれ突設されており、摺動突起５０がレール溝４９に前後摺動自在に嵌合され、これにより、引き出し部材４が収納部２１からスムーズに出退すると共に、引き出し部材４を引き出した際に引き出し部材４が収納部２１から抜脱しないように構成されている。
【００２５】
而して、容器本体２に対してキャップ体３（外キャップ６）を開く方向に回動操作することにより、まず外キャップ６が容器本体２と内キャップ７とに対して相対回動することにより、図８（ａ）（ｂ）（ｃ）に示す如く外キャップ６から引き出し部材４が外方に少しだけ突出し、その後外キャップ６と内キャップ７とが容器本体２に対して相対回動して外キャップ６と共に内キャップ７が容器本体２から外れるようになっている。
【００２６】
また、容器本体２に対して外キャップ６を閉じる方向に回動操作することにより、まず外キャップ６が内キャップ７と容器本体２とに対して回動することにより係合凸部４０がストッパー４７に接当した後、外キャップ６と内キャップ７とが容器本体２に対して回動することにより、外キャップ６と共に内キャップ７が容器本体２に螺合して閉まり、引き出し部材４が外方に突出した状態のまま残るようになっている。そして、外方に突出した状態の引き出し部材４を内側方に押圧することにより、外方に突出した状態の引き出し部材４が外キャップ６に後退するように構成されている。その他の点は前記図１〜図５の実施形態の場合と同様の構成である。
【００２７】
上記図５〜図８の実施の形態によれば、容器本体２に対してキャップ体３を開く場合、容器本体２に対してキャップ体３（外キャップ６）を開く方向に回動操作すればよく、これにより、図８（ｃ）に示す如く外キャップ６から引き出し部材４が外方に少し突出し、その後外キャップ６と内キャップ７とが容器本体２に対して相対回動して外キャップ６と共に内キャップ７が容器本体２から外れる。従って、その後は引き出し前壁３４に指を引っかけて引き出し部材４を引っ張って大きく突出させ、引き出し部材４に収納した化粧用具や鏡等を使用して容器本体２内の化粧品で化粧をすればよく、引き出し部材４の化粧用具等を便利に使用することができる。
【００２８】
容器本体２に対してキャップ体３を閉じる場合、引き出し部材４に化粧用具等を収納して、容器本体２に対して外キャップ６を閉じる方向に回動操作すれば、外キャップ６と共に内キャップ７が容器本体２に螺合して閉まる。外方に突出した状態の引き出し部材４は内側方に指で押圧することにより、外方に突出した状態の引き出し部材４が外キャップ６内に後退する。
【００２９】
従って、キャップ体３を開く操作によって、引き出し部材４が突出するため、引き出し部材４を便利に使用することができる。しかも、引き出し部材４の前壁の外面を、引き出し部材４が後退したときに外キャップ６の外周壁１６の外面と面一になる凹凸のない円弧面状に形成しておくことができ、化粧用具の引き出し部材４を引き出すための摘み部分等が不要になるので、摘み部分等が外部に露出しなくて済み、外観上の体裁が非常に良くなる。
【００３０】
図９及び図１０は他の実施形態を示し、化粧用収納容器１は容器本体２とキャップ体３と引き出し部材４とを備え、容器本体２は外容器体５３と内容器体５４とレフィル容器体５５とを有し、キャップ体３は外キャップ６と内キャップ７とを有している。
外容器体５３は外底壁部５７と円筒状の外周壁部５８とを有し、外周壁部５８の上部内面に環状の係止突起５９が設けられ、外容器体５３の下部に収納開口１８と左右一対の規制片６０とを有する収納部２１が形成され、ここに引き出し部材４が外方に出退自在に保持されている。左右一対の規制片６０は引き出し部材４が左右に移動するのを規制している。
【００３１】
引き出し部材４は引き出し底壁３３と引き出し前壁３４と引き出し後壁３５と左右一対の引き出し側壁３６とを有する収納ケースとされ、引き出し後壁３５に突出片６２が設けられている。引き出し部材４の引き出し前壁３４の外面４ａは、引き出し部材４が後退したときに外容器体５３の外周壁１６の外面と面一になる凹凸のない円弧面状に形成されている。
【００３２】
内容器体５４は内底壁部６４と円筒状の内周壁部６５とを有し、内周壁部６５の中途部に環状壁部６６が外方突設され、環状壁部６６に環状の垂下壁６７が設けられ、垂下壁６７の下部に係合突起６８が環状に突設されている。係合突起６８と係止突起５９とが互いに係合することにより、外容器体５３に内容器体５４が上方突出状態で相対回動自在に内嵌保持されている。内容器体５４の内周壁部６５の上部外面に雄ねじ１３が形成されている。レフィル容器体５５は内容器体５４に着脱可能に内嵌保持されている。
【００３３】
外キャップ６は外天壁１５と外周壁１６とを有し、内キャップ７は内天壁２４と内周壁２５とを有し、外キャップ６に内嵌固定されている。内周壁２５の内面に雌ねじ２８が形成されている。内容器体５４に内キャップ７が雄ねじ１３及び雌ねじ２８を介して着脱自在に螺合されている。
内容器体５４と引き出し部材４との間にカム機構３９が設けられている。カム機構３９は内容器体５４の内底壁部６４に下方突設した係合凸部４０と、引き出し部材４の突出片６２に左右方向に形成した直線状の挿通孔部６９とを有している。外容器体５３の外底壁部５７の上面に円弧状の係止溝部７０が形成されており、係合凸部４０が挿通孔部６９を貫通して係止溝部７０に係合することによって、内容器体５４が外容器体５３に対する開く方向の回動（容器本体２に対してキャップ体３（内キャップ７）が開く方向と同一方向の回動）で、係合凸部４０が挿通孔部６９を移動すると共に係止溝部７０を移動して、外容器体５３から引き出し部材４が外方に突出し、内容器体５４が外容器体５３に対する閉まる方向の回動（容器本体２に対してキャップ体３（内キャップ７）が閉まる方向と同一方向の回動）で、係合凸部４０が挿通孔部６９を移動すると共に係止溝部７０を移動して、外方に突出した状態の引き出し部材４が外容器体５３に後退するように構成されている。また、内容器体５４が外容器体５３に対して相対回動できる範囲は、係合凸部４０が係止溝部７０を移動する範囲に規制されている。
【００３４】
而して、容器本体２に対してキャップ体３（外キャップ６）を開く方向に回動操作することにより、まず内容器体５４がキャップ体３と共に外容器体５３に対して相対回動することにより、外容器体５３から引き出し部材４が外方に突出し、その後内キャップ７が外キャップ６共に内容器体５４に対して回動して外キャップ６と共に内キャップ７が容器本体２（内容器体５４）から外れるようになっている。
【００３５】
また、容器本体２に対してキャップ体３（外キャップ６）を閉じる方向に回動操作することにより、まずキャップ体３と共に内容器体５４が外容器体５３に対して相対的に回動して、外方に突出した状態の引き出し部材４が外容器体５３に後退し、その後キャップ体３（外キャップ６と内キャップ７と）が容器本体２に対して回動することにより、キャップ体３（外キャップ６と共に内キャップ７）が容器本体２に螺合して閉まるようになっている。
【００３６】
上記図９及び図１０の実施の形態によれば、容器本体２に対してキャップ体３を開く場合、容器本体２に対してキャップ体３（外キャップ６）を開く方向に回動操作すればよく、これにより、外容器体５３から引き出し部材４が外方に突出し、その後外キャップ６と共に内キャップ７が容器本体２から外れる。従って、その後は引き出し部材４に収納した化粧用具や鏡等を使用して容器本体２内の化粧品で化粧をすればよく、引き出し部材４の化粧用具等を便利に使用することができる。
【００３７】
容器本体２に対してキャップ体３を閉じる場合、引き出し部材４に化粧用具等を収納して、容器本体２に対して外キャップ６を閉じる方向に回動操作すればよく、まず外方に突出した状態の引き出し部材４が外キャップ６に後退し、その後キャップ体３（外キャップ６と共に内キャップ７）が容器本体２に螺合して閉まる。
従って、キャップ体３を開閉する操作によって、引き出し部材４が出退するため、引き出し部材４を便利に使用することができる。しかも、キャップ体３を開閉する操作によって、引き出し部材４が出退するため、化粧用具の引き出し部材４を引き出すための摘み部分等が収納容器の外側面又は天外面に不要になるため、引き出し部材４の引き出し前壁３４の外面４ａを、引き出し部材４が後退したときに外容器体５３の外周壁部５８の外面と面一になる凹凸のない円弧面状に形成しておくことができ、摘み部分等が収納容器の外側面又は天外面に露出しなくて済み、外観上の体裁が非常に良くなる。
【００３８】
図１１及び図１２は他の実施形態を示し、化粧用収納容器１は、容器本体２とキャップ体３とを備え、容器本体２は、大径の円筒状に形成された大径筒状部７３と、円筒状の口部１０とを有し、容器本体２（大径筒状部７３及び口部１０）内に化粧用クリーム等の化粧品が収納され、口部１０の上端開口から化粧品を取り出せるように構成されている。口部１０の外周に雄ねじ１３が形成されている。
【００３９】
キャップ体３は天壁７５と円筒状の周壁７６とを有し、周壁７６の内面に雌ねじ２８が形成され、天壁７５の下面側にシール板３０が嵌合固着されている。キャップ体３の天壁７５上に天板７８が設けられている。天壁７５の外周部に嵌合凹部７９が設けられ、天板７８の外周部下端に環状の嵌合凸部８１が設けられ、嵌合凹部７９に嵌合凸部８１が嵌合することにより、キャップ体３の上側に天板７８が回動自在に嵌合保持されている。キャップ体３は雄ねじ１３及び雌ねじ２８を介して容器本体２の口部１０に着脱自在に螺合されている。
【００４０】
天板７８に収納開口１８を有する収納部２１が形成されている。引き出し部材４は板状に形成されて鏡、櫛又は化粧用具等を構成している。天板７８の外周面はキャップ体３の外周面と面一の周面に形成され、引き出し部材４の前端外面４ａは、引き出し部材４が天板７８の収納部２１に後退したときに天板７８の外周面と面一になる凹凸のない円弧面状に形成されている。
【００４１】
キャップ体３と引き出し部材４との間にカム機構３９が設けられている。カム機構３９はキャップ体３の天壁７５に突設した係合凸部４０と、引き出し部材４に左右方向に形成した直線状の係止孔部８４とを有している。天板７８の収納部２１の収納底壁１９に円弧状の挿通孔４２が形成されており、この挿通孔４２を係合凸部４０が貫通して係止孔部８４に係合することによって、天板７８がキャップ体３に対する開く方向の回動（容器本体２に対してキャップ体３が開く方向と同一方向の回動）で、係合凸部４０が挿通孔４２を移動すると共に係止孔部８４を移動して、天板７８から引き出し部材４が外方に突出し、天板７８がキャップ体３に対する閉まる方向の回動（容器本体２に対してキャップ体３が閉まる方向と同一方向の回動）で、係合凸部４０が挿通孔４２を移動すると共に係止孔部８４を移動して、外方に突出した状態の引き出し部材４が天板７８の収納部２１内に後退するように構成されている。
【００４２】
而して、容器本体２に対して天板７８を開く方向に回動操作することにより、まず天板７８が容器本体２とキャップ体３とに対して相対回動することにより、天板７８から引き出し部材４が外方に突出し、その後天板７８とキャップ体３とが容器本体２に対して相対回動して天板７８と共にキャップ体３が容器本体２から外れるようになっている。
また、容器本体２に対して天板７８を閉じる方向に回動操作することにより、まず天板７８がキャップ体３と容器本体２とに対して相対的に回動して、外方に突出した状態の引き出し部材４が天板７８の収納部２１内に後退し、その後天板７８がキャップ体３と容器本体２に対して回動することにより、キャップ体３が容器本体２に螺合して閉まるようになっている。
【００４３】
上記図１１及び図１２の実施の形態によれば、容器本体２に対してキャップ体３を開く場合、容器本体２に対して天板７８を開く方向に回動操作すればよく、これにより、天板７８から引き出し部材４が外方に突出し、その後天板７８とキャップ体３とが容器本体２に対して相対回動してキャップ体３が容器本体２から外れる。従って、その後は引き出し部材４を使用して容器本体２内の化粧品で化粧をすれば良く、引き出し部材４を便利に使用することができる。
【００４４】
容器本体２に対してキャップ体３を閉じる場合、容器本体２に対して天板７８を閉じる方向に回動操作すればよく、まず天板７８が容器本体２とキャップ体３とに対して相対的に回動して、外方に突出した状態の引き出し部材４が外キャップ６に後退し、その後天板７８と共にキャップ体３が回動して容器本体２に螺合して閉まる。
従って、キャップ体３を開閉する操作によって、引き出し部材４が出退するため、引き出し部材４を便利に使用することができる。しかも、キャップ体３を開閉する操作によって、引き出し部材４が出退するため、化粧用具の引き出し部材４を引き出すための摘み部分等が不要になり、引き出し部材４の前端外面４ａは、引き出し部材４が天板７８の収納部２１に後退したときに天板７８の外周面と面一になる凹凸のない円弧面状に形成できるので、摘み部分等が外部に露出しなくて済み、外観上の体裁が非常に良くなる。
【００４５】
なお、前記実施の形態では、容器本体２に対してキャップ体３を開く場合、まず引き出し部材４が外方に突出し、その後キャップ体３が容器本体２から外れるようになっているが、これに代え、引き出し部材４が外方に突出しながら、同時にキャップ体３が容器本体２から外れるようにしてもよい。
また、前記実施形態では、容器本体２に対してキャップ体３を閉じる場合、まず外方に突出した状態の引き出し部材４が後退し、その後キャップ体３が容器本体２に螺合して閉まるようにしているが、これに代え、容器本体２に対してキャップ体３を閉じる場合、まずキャップ体３が容器本体２に螺合して閉まり、その後に外方に突出した状態の引き出し部材４が後退しするようにしてもよいし、また、外方に突出した状態の引き出し部材４が後退しながら、これと同時にキャップ体３が容器本体２に螺合して閉まるようにしてもよい。
【００４６】
また、前記図１１及び図１２の実施形態では、キャップ体３の上側に天板７８が回動自在に設けられ、天板７８側に引き出し部材４が設けられ、天板７８の回動操作によって引き出し部材４が外方に出退するようにしているが、これに代え、容器本体２の下側に底板を回動自在に設けると共に、底板側に引き出し部材４を設け、底板の回動操作によって前記引き出し部材４が外方に出退するようにししてもよい。また、キャップ体３の上側又は容器本体２の下側に天板７８又は底板を設け、天板７８又は底板の一方向への回動操作によって引き出し部材４が外方に突出し、図５〜図８の実施形態の場合と同様に、天板７８又は底板を他方向に回動操作しても、引き出し部材４が後退しないようにしてもよい。
【００４７】
また、前記実施の形態では、本発明を化粧用収納容器１に実施しているが、本発明は化粧用収納容器１に限らず他の収納容器にも適用実施することができる。
【符号の説明】
【００４８】
１    化粧用収納容器
２    容器本体
３    キャップ体
４    引き出し部材
６    外キャップ体
７    内キャップ体
３９    カム機構
５３    外容器体
５４    内容器体
７８    天板
【図１】
2011212368.tif 000003
【図２】
2011212368.tif 000004
【図３】
2011212368.tif 000005
【図４】
2011212368.tif 000006
【図５】
2011212368.tif 000007
【図６】
2011212368.tif 000008
【図７】
2011212368.tif 000009
【図８】
2011212368.tif 000010
【図９】
2011212368.tif 000011
【図１１】
2011212368.tif 000012
【図１２】
2011212368.tif 000013
【図１０】
2011212368.tif 000014
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
容器本体（２）に雄ねじ（１３）と雌ねじ（２８）とを介してキャップ体（３）を開閉自在に螺合するようにした収納容器において、
容器本体（２）側又はキャップ体（３）側に引き出し部材（４）が外方に出退自在に設けられ、前記引き出し部材（４）とは異なる容器本体（２）又はキャップ体（３）の全部又は一部を前記雄ねじ（１３）と雌ねじ（２８）とのねじ軸心廻りに回動することにより、収納容器の内部に設けたカム機構（３９）によって前記引き出し部材（４）が外方に突出するようにしたことを特徴とする収納容器。
【請求項２】
容器本体（２）に対してキャップ体（３）を開く方向に回動操作することによって、引き出し部材（４）が外方に突出しその後キャップ体（３）が容器本体（２）から外れるようにしたことを特徴とする請求項１に記載の収納容器。
【請求項３】
容器本体（２）に対してキャップ体（３）を閉じる方向に回動操作することによって、外方に突出した状態の引き出し部材（４）が容器本体（２）側又はキャップ体（３）側に後退すると共に、容器本体（２）にキャップ体（３）が螺合して閉まるようにしたことを特徴とする１又は２に記載の収納容器。
【請求項４】
キャップ体（３）の上側に天板（７８）が回動自在に設けられ、天板（７８）の相対的回動操作によって引き出し部材（４）が外方に突出するようにしたことを特徴とする請求項１に記載の収納容器。
【請求項５】
容器本体（２）の下側に底板が回動自在に設けられ、底板の相対的回動操作によって前記引き出し部材（４）が外方に突出するようにしたことを特徴とする請求項１に記載の収納容器。
【請求項６】
前記キャップ体（３）、天板（７８）又は底板等の被回動操作部材と引き出し部材（４）との間に、被回動操作部材の回動操作によって、引き出し部材（４）が外方に突出しかつ容器本体（２）側又はキャップ体（３）側に後退するカム機構（３９）が設けられていることを特徴とする請求項１〜５のいずれかに記載の収納容器。
【請求項７】
前記キャップ体（３）は外キャップ（６）と内キャップ（７）とを有し、内キャップ（７）が外キャップ（６）に相対回動可能に内嵌保持され、容器本体（２）に内キャップ（７）が着脱自在に螺合され、外キャップ（６）に引き出し部材（４）が外方に出退自在に設けられ、
外キャップ（６）が内キャップ（７）に対する開く方向の回動で外キャップ（６）から引き出し部材（４）が外方に突出するように、内キャップ（７）と引き出し部材（４）との間にカム機構（３９）が設けられ、
容器本体（２）に対して外キャップ（６）を開く方向に回動操作することにより、まず外キャップ（６）が容器本体（２）と内キャップ（７）とに対して相対回動することにより、外キャップ（６）から引き出し部材（４）が外方に突出し、その後外キャップ（６）と内キャップ（７）とが容器本体（２）に対して相対回動して外キャップ（６）と共に内キャップ（７）が容器本体（２）から外れようにしたことを特徴とする請求項１に記載の収納容器。
【請求項８】
前記キャップ体（３）は外キャップ（６）と内キャップ（７）とを有し、内キャップ（７）が外キャップ（６）に相対回動可能に内嵌保持され、容器本体（２）に内キャップ（７）が着脱自在に螺合され、外キャップ（６）に引き出し部材（４）が外方に出退自在に設けられ、
外キャップ（６）が内キャップ（７）に対する開く方向の回動で外キャップ（６）から引き出し部材（４）が外方に突出し、外キャップ（６）が内キャップ（７）に対する閉まる方向の回動で外方に突出した状態の引き出し部材（４）が外キャップ（６）に後退するように、内キャップ（７）と引き出し部材（４）との間にカム機構（３９）が設けられ、
容器本体（２）に対して外キャップ（６）を開く方向に回動操作することにより、まず外キャップ（６）が容器本体（２）と内キャップ（７）とに対して相対回動することにより、外キャップ（６）から引き出し部材（４）が外方に突出し、その後外キャップ（６）と内キャップ（７）とが容器本体（２）に対して相対回動して外キャップ（６）と共に内キャップ（７）が容器本体（２）から外れ、
容器本体（２）に対して外キャップ（６）を閉じる方向に回動操作することにより、まず外キャップ（６）が容器本体（２）と内キャップ（７）とに対して相対的に回動して、外方に突出した状態の引き出し部材（４）が外キャップ（６）に後退し、その後外キャップ（６）と内キャップ（７）とが容器本体（２）に対して回動することにより、外キャップ（６）と共に内キャップ（７）が容器本体（２）に螺合して閉まるようにしたことを特徴とする請求項１に記載の収納容器。
【請求項９】
前記容器本体（２）は、外容器体（５３）と外容器体（５３）に相対回動自在に内嵌される内容器体（５４）とを有し、キャップ体（３）が内容器体（５４）に着脱自在に螺合され、外容器体（５３）に前記引き出し部材（４）が外方に出退自在に設けられ、
キャップ体（３）が容器本体（２）に対する開く方向の回動で外容器体（５３）から引き出し部材（４）が外方に突出するように、内容器体（５４）と引き出し部材（４）との間にカム機構（３９）が設けられ、
容器本体（２）に対してキャップ体（３）を開く方向に回動操作することにより、まずキャップ体（３）と内容器体（５４）とが外容器体（５３）に対して相対回動することにより、外容器体（５３）から引き出し部材（４）が外方に突出し、その後キャップ体（３）が内容器体（５４）に対して相対回動してキャップ体（３）が内容器体（５４）から外れようにしたことを特徴とする請求項１に記載の収納容器。
【請求項１０】
前記容器本体（２）は、外容器体（５３）と外容器体（５３）に相対回動自在に内嵌される内容器体（５４）とを有し、キャップ体（３）が内容器体（５４）に着脱自在に螺合され、外容器体（５３）に前記引き出し部材（４）が外方に出退自在に設けられ、
キャップ体（３）が容器本体（２）に対する開く方向の回動で外容器体（５３）から引き出し部材（４）が外方に突出するように、内容器体（５４）と引き出し部材（４）との間にカム機構（３９）が設けられ、
容器本体（２）に対してキャップ体（３）を開く方向に回動操作することにより、まずキャップ体（３）と内容器体（５４）とが外容器体（５３）に対して相対回動することにより、外容器体（５３）から引き出し部材（４）が外方に突出し、その後キャップ体（３）が内容器体（５４）に対して相対回動してキャップ体（３）が内容器体（５４）から外れ、
容器本体（２）に対してキャップ体（３）を閉じる方向に回動操作することにより、まずキャップ体（３）と内容器体（５４）とが外容器体（５３）に対して相対回動して、外方に突出した状態の引き出し部材（４）が外容器体（５３）に後退し、その後キャップ体（３）が内容器体（５４）に対して相対回動してキャップ体（３）が内容器体（５４）に螺合して閉まるようにしたことを特徴とする請求項１に記載の収納容器。
【請求項１１】
前記容器本体（２）が化粧品を収納するものであり、前記引き出し部材（４）が、鏡又は櫛等を収納可能な収納ケース、化粧品を塗布するための化粧用具、鏡又は櫛であることを特徴とする請求項１〜１０のいずれかに記載の収納容器。
【手続補正２】
【補正対象書類名】明細書
【補正対象項目名】０００５
【補正方法】変更
【補正の内容】
【０００５】
この技術的課題を解決する本発明の技術的手段は、容器本体に雄ねじと雌ねじとを介してキャップ体を開閉自在に螺合するようにした収納容器において、
容器本体側又はキャップ体側に引き出し部材が外方に出退自在に設けられ、前記引き出し部材とは異なる容器本体又はキャップ体の全部又は一部を前記雄ねじと雌ねじとのねじ軸心廻りに回動することにより、収納容器の内部に設けたカム機構によって前記引き出し部材が外方に突出するようにした点にある。
【手続補正３】
【補正対象書類名】明細書
【補正対象項目名】０００７
【補正方法】変更
【補正の内容】
【０００７】
また、本発明の他の技術的手段は、キャップ体の上側に天板が回動自在に設けられ、天板の相対的回動操作によって引き出し部材が外方に突出するようにした点にある。
また、本発明の他の技術的手段は、容器本体の下側に底板が回動自在に設けられ、底板の相対的回動操作によって前記引き出し部材が外方に突出するようにした点にある。
また、本発明の他の技術的手段は、前記キャップ体、天板又は底板等の被回動操作部材と引き出し部材との間に、被回動操作部材の回動操作によって、引き出し部材が外方に突出しかつ容器本体側又はキャップ体側に後退するカム機構が設けられている点にある。